(57)【要約】【課題】重量物や構造物などの物体を吊り上げる場合に、物体の姿勢を安定させるとともに、物体の移動時や組み付け時における周辺の障害物の除去や人払いを要する排除範囲を最小にすることができる物体の吊り上げ方法を提供する。【解決手段】物体Ａの吊り上げ方法は、物体Ａに形成された吊り穴３’に第１の吊り具４を連結して物体Ａを吊り上げた場合に吊り穴３’よりも高くなる位置において、補助輪６を物体Ａに取り付け、補助輪６に第２の吊り具１０を連結し、吊り穴３’に連結された第１の吊り具４と、補助輪６に連結された第２の吊り具１０とで物体Ａを吊り上げる。【選択図】図２
2017043424.tif 000002
【特許請求の範囲】
【請求項１】
物体に形成された吊り穴に第１の吊り具を連結して前記物体を吊り上げた場合に前記吊り穴よりも高くなる位置において、補助輪を前記物体に取り付け、
前記補助輪に第２の吊り具を連結し、
前記吊り穴に連結された前記第１の吊り具と、前記補助輪に連結された前記第２の吊り具とで前記物体を吊り上げることを特徴とする物体の吊り上げ方法。
【請求項２】
前記補助輪および前記物体の重心が鉛直線上に位置するように、前記第１の吊り具および前記第２の吊り具で前記物体を吊り上げることを特徴とする請求項１に記載の物体の吊り上げ方法。
【請求項３】
前記補助輪は、前記物体の重心から最も離れた位置において前記物体に取り付けられることを特徴とする請求項１または２に記載の物体の吊り上げ方法。
【発明の詳細な説明】
【技術分野】
【０００１】
本発明は、物体を吊り上げる技術に関するものである。
【背景技術】
【０００２】
物体を移動するに際し、物体をケーブル、ロープ、チェーンなどの吊り具により吊り上げて、物体を台車上に乗せることはよく行われている。物体を吊り上げるために、物体自体に吊り具を通すための吊り穴が開けられている場合も多い。
【発明の概要】
【発明が解決しようとする課題】
【０００３】
ところで、物体によっては吊り穴の位置が重心から偏り、吊り上げた時に、物体が傾いた姿勢となる場合がある。例えば、物体が複数の部品から組み立てられている場合、各部品ごとに安定した吊り上げができるように、各部品の重心の直上に吊り穴が開けられているが、これらの吊り穴のうちの１つに吊り具を連結し、これら複数の部品からなる物体（構造物）を吊り上げても、物体の姿勢は必ずしも安定しない場合がある。
【０００４】
このような場合、物体が回転したり、揺れ動いたりする虞があるので、広い範囲で障害物を移動させたり、人払いしたりする用意が必要である。なお、人払いとは、安全のために人を物体の周辺から退避させることを意味する。また、物体を別の部材に組み付ける場合において、物体が傾いた姿勢であると、物体の組み付け作業が困難となる。
【０００５】
本発明は、上述した問題点に鑑みてなされたもので、重量物や構造物などの物体を吊り上げる場合に、物体の姿勢を安定させるとともに、物体の移動時や組み付け時における周辺の障害物の除去や人払いを要する排除範囲を最小にすることができる物体の吊り上げ方法を提供することを目的とする。
【課題を解決するための手段】
【０００６】
上述した課題を解決するための本発明の一態様は、物体に形成された吊り穴に第１の吊り具を連結して前記物体を吊り上げた場合に前記吊り穴よりも高くなる位置において、補助輪を前記物体に取り付け、前記補助輪に第２の吊り具を連結し、前記吊り穴に連結された前記第１の吊り具と、前記補助輪に連結された前記第２の吊り具とで前記物体を吊り上げることを特徴とする物体の吊り上げ方法である。
【０００７】
本発明の好ましい態様は、前記補助輪および前記物体の重心が鉛直線上に位置するように、前記第１の吊り具および前記第２の吊り具で前記物体を吊り上げることを特徴とする。
本発明の好ましい態様は、前記補助輪は、前記物体の重心から最も離れた位置において前記物体に取り付けられることを特徴とする。
【発明の効果】
【０００８】
本発明によれば、物体を吊り上げたときに、物体の姿勢を安定させることができるとともに、物体の吊り上げ移動時や組み付け時における周辺の障害物の除去や人払いを要する排除範囲を最小にすることができる。
【図面の簡単な説明】
【０００９】
【図１】重量物や構造物などの物体を吊り上げた状態を示す図である。
【図２】補助輪が取り付けられた物体を示す図である。
【発明を実施するための形態】
【００１０】
以下、図面を参照して、本発明の実施形態について説明する。
図１は重量物や構造物などの物体Ａを吊り上げた状態を示す図である。図１に示す例では、物体Ａは２つの部品１，２により組み立てられている。部品１，２には、吊り穴３，３’がそれぞれ形成されている。吊り穴３は部品１の重心の直上に位置しており、吊り穴３’は部品２の重心の直上に位置している。
【００１１】
ケーブル、ロープ、チェーンなどの吊り具４を吊り穴３に連結して、部品１を単独で吊り上げた場合、吊り穴３は部品１の重心の直上に位置しているため、吊り上げられた部品１の姿勢は安定する。同様に、吊り具４を吊り穴３’に連結して、部品２を単独で吊り上げた場合、吊り穴３’は部品２の重心の直上に位置しているため、吊り上げられた部品２の姿勢は安定する。
【００１２】
しかしながら、吊り具４を吊り穴３，３’のいずれかに連結して、物体Ａを吊り上げると、物体Ａは傾いた姿勢となる。つまり、吊り穴３，３’のいずれも物体Ａの重心ＣＧの直上に位置していないため、物体Ａは安定した姿勢とはならず、傾いた姿勢となる。このように、傾いた姿勢の物体Ａを吊り上げると、図１の点線で示すように、物体Ａが吊り穴３’を中心として回転したり、揺れ動く虞があるため、障害物の移動や人払いを要する排除範囲Ｄ１が広くなる。
【００１３】
そこで、本実施形態では、物体Ａの姿勢を安定させるために、物体Ａには補助輪６が取り付けられる。図２は補助輪６が取り付けられた物体Ａを示す図である。以下の説明では、吊り具４を第１の吊り具４と呼ぶ。図２に示すように、吊り穴３’に連結された第１の吊り具４で物体Ａを吊り上げた場合に吊り穴３’よりも高くなる位置において、補助輪６は物体Ａに取り付けられている。好ましくは、補助輪６は、物体Ａの重心ＣＧから最も離れた物体Ａの表面Ｂに取り付けられている。
【００１４】
補助輪６は、吊り穴５が形成されたリング部６ａと、リング部６ａから延びる取り付け部６ｂとを備えている。取り付け部６ｂにはねじ溝（図示しない）が形成されている。補助輪６として、例えば、アイボルトを使用することができる。補助輪６の取り付け方法の一例では、ねじ穴（図示しない）を物体Ａの表面Ｂに形成し、このねじ穴に取り付け部６ｂを螺合させることで、補助輪６を物体Ａに固定する。
【００１５】
第１の吊り具４に加えて、ケーブル、ロープ、チェーンなどの第２の吊り具１０が用意され、第２の吊り具１０が補助輪６に連結される。具体的には、第２の吊り具１０をリング部６ａの吊り穴５に通して、補助輪６に第２の吊り具１０を連結する。そして、吊り穴３’に連結された第１の吊り具４と、補助輪６に連結された第２の吊り具１０とで、物体Ａを吊り上げる。
【００１６】
図２に示すように、補助輪６および物体Ａの重心ＣＧが鉛直線ＶＬ上に位置するまで、物体Ａは第２の吊り具１０によって吊り上げられる。このように物体Ａを吊り上げると、物体Ａは直立した姿勢になる。物体Ａが直立した姿勢にあるときの排除範囲Ｄ２は、傾いた姿勢のときの排除範囲Ｄ１よりも小さい。
【００１７】
本実施形態によれば、第１の吊り具４で物体Ａを吊り上げた状態で、さらに補助輪６を介して第２の吊り具１０によって物体Ａを吊り上げることにより、物体Ａを直立した姿勢にすることができる。したがって、排除範囲Ｄ２を最小にすることができる。さらに、吊り穴３’および補助輪６の２か所で物体Ａを吊り上げることにより、物体Ａの姿勢は安定し、結果的に、物体Ａが回転したり、揺れ動いたりすることを防止することができる。したがって、安定的に、かつ安全に物体Ａを搬送することができるため、作業効率を向上することができる。
【００１８】
本実施形態では、第１の吊り具４自体を吊り穴３’に通して、第１の吊り具４を第１の吊り具４に連結しているが、フックやシャックルなどの連結具を介して第１の吊り具４を吊り穴３’に連結してもよい。同様に、フックやシャックルなどの連結具を介して第２の吊り具１０を補助輪６に連結してもよい。
【００１９】
本実施形態によれば、物体Ａを搬送する場合のみならず、物体Ａを他の機械に組み付ける場合においても、物体Ａを直立した姿勢にすることができるため、容易に、かつ安全に物体Ａの組み付け作業を実施することができる。
【００２０】
上述した実施形態では、物体Ａの吊り穴３’を介して物体Ａを吊り上げる例について説明したが、物体Ａの吊り穴３を介して物体Ａを吊り上げても同様の効果を奏することができる。この場合、補助輪６は物体Ａの表面Ｃ（図２参照）に取り付けられてもよい。
【００２１】
上述した実施形態では、物体Ａが２つの部品１，２により組み立てられる例について説明したが、本実施形態は単一の物体にも適用可能である。つまり、物体の吊り穴は物体の重心の直上に設けられているとは限らない。上述した実施形態によれば、補助輪を物体に取り付けるだけの簡単な構成で、物体の姿勢を安定させることができる。
【００２２】
上述した実施形態は、本発明が属する技術分野における通常の知識を有する者が本発明を実施できることを目的として記載されたものである。上記実施形態の種々の変形例は、当業者であれば当然になしうることであり、本発明の技術的思想は他の実施形態にも適用しうることである。したがって、本発明は、記載された実施形態に限定されることはなく、特許請求の範囲によって定義される技術的思想に従った最も広い範囲に解釈されるものである。
【符号の説明】
【００２３】
１      部品
２      部品
３      吊り穴
３’      吊り穴
４      第１の吊り具
５      吊り穴
６      補助輪
６ａ      リング部
６ｂ      取り付け部
１０      第２の吊り具
Ａ      物体
Ｂ，Ｃ    表面
ＣＧ      重心
ＶＬ      鉛直線
Ｄ１，Ｄ２      排除範囲
【図１】
2017043424.tif 000003
【図２】
2017043424.tif 000004